(57)【要約】  本発明の一実施例に係る制御装置は、バンドの第１方向への移動は自由であるが前記第１方向と反対方向の第２方向への移動は選択的に具現されるようにする装置であって、前記バンドの一側端が挿入される挿入空間と前記挿入空間に挿入された前記バンドの一側端が流出する流出空間を具備するボディー部；および前記ボディー部の外側に突出しないように前記ボディー部の内部空間に位置し、回転軸を基準として第１位置と第２位置との間で位置変化が可能であり、前記第１位置である場合、前記バンドと接触したまま前記バンドの前記第１方向への移動を自由にするものの、前記第２位置である場合、前記バンドと非接触したまま前記バンドの前記第２方向への移動を自由にするバンド制御部；第３位置に位置して前記バンド制御部が前記第１位置に位置するようにし、前記バンド制御部を前記第１位置から前記第２位置に位置変化させるように、前記バンド制御部と接触した状態で前記第３位置から第４位置に位置変化される外力伝達部；を含む。
2019509877.tif 000002
【特許請求の範囲】
【請求項１】
バンドの第１方向への移動は自由であるが、前記第１方向と反対方向の第２方向への移動は選択的に具現されるようにする制御装置において、
前記バンドの一側端が挿入される挿入空間と前記挿入空間に挿入された前記バンドの一側端が流出する流出空間を具備するボディー部；および
前記ボディー部の外側に突出しないように前記ボディー部の内部空間に位置し、回転軸を基準として第１位置と第２位置との間で位置変化が可能であり、前記第１位置である場合、前記バンドと接触したまま前記バンドの前記第１方向への移動を自由にするものの、前記第２位置である場合、前記バンドと非接触したまま前記バンドの前記第２方向への移動を自由にするバンド制御部；
第３位置に位置して前記バンド制御部が前記第１位置に位置するようにし、前記バンド制御部を前記第１位置から前記第２位置に位置変化させるように、前記バンド制御部と接触した状態で前記第３位置から第４位置に位置変化される外力伝達部；を含む、制御装置。
【請求項２】
前記外力伝達部は、
前記第３位置から前記第４位置への直線運動によって前記バンド制御部を回転させて前記第１位置から前記第２位置に位置変化させることを特徴とする、請求項１に記載の制御装置。
【請求項３】
前記外力伝達部は、
前記内部空間に位置して前記バンド制御部との接触によって前記バンド制御部を前記第１位置から前記第２位置に変化させる接触部および前記内部空間の外側に位置して前記接触部の位置移動に必要な外力が印加されるようにする外力印加部を具備することを特徴とする、請求項１に記載の制御装置。
【請求項４】
前記ボディー部は、
前記内部空間を規定する前方側壁、後方側壁、上方側壁および下方側壁を具備し、
前記内部空間は、
前記前方側壁と前記後方側壁の間に前記バンドが位置する場合、前記バンド制御部の位置が前記第１位置であるか前記第２位置であるかに関わらず、一定の大きさを有することを特徴とする、請求項１に記載の制御装置。
【請求項５】
前記バンド制御部は、
前記ボディー部と一体に形成されることを特徴とする、請求項１に記載の制御装置。
【請求項６】
前記バンド制御部は、
前記ボディー部から折り曲げられた後、前記内部空間に位置した前記バンドに向かって傾斜して形成されるか丸みを有して形成される変化部を具備し、
前記外力伝達部は、
外力による前記変化部との接触によって前記バンド制御部を前記第１位置から前記第２位置に変化させることを特徴とする、請求項５に記載の制御装置。
【請求項７】
前記バンド制御部は、
前記外力が除去されると、自ら保有している弾性によって前記第２位置から前記第１位置に復帰することを特徴とする、請求項６に記載の制御装置。
【請求項８】
前記ボディー部は、
前記内部空間を規定する前方側壁、後方側壁、上方側壁および下方側壁を具備し、
前記上方側壁および前記下方側壁は、
前記バンドの移動方向に沿って長く貫通して形成される貫通部を具備し、
前記外力伝達部は、
前記貫通部に挿入されて前記貫通部内での位置移動が可能に配置され、
前記バンド制御部は、
前記前方側壁の内側面に位置する基準部および前記基準部から前記内部空間に位置した前記バンドに向かって傾斜して形成されるか丸みを有して形成される変化部を具備し、
前記基準部は、
前記バンド制御部が前記第１位置から前記第２位置に変化するための回転軸を提供することを特徴とする、請求項１に記載の制御装置。
【請求項９】
外力による前記外力伝達部の位置移動によって、前記バンド制御部が前記第１位置から第２位置に変化した後、前記外力が除去されると、前記バンド制御部が前記第２位置から前記第１位置に復帰するように、前記内部空間に位置する弾性部；をさらに含む、請求項８に記載の制御装置。
【請求項１０】
前記ボディー部は、
前記バンド制御部が前記弾性部による加圧力によって前記第２方向に移動することを防止するように、前記挿入空間側に提供される第１固定部を具備することを特徴とする、請求項９に記載の制御装置。
【請求項１１】
前記ボディー部は、
前記外力伝達部によって前記バンド制御部が前記第１位置から前記第２位置に移動する場合、前記弾性部が前記第１方向に移動することを防止するように、前記流出空間側に提供されて前記弾性部と接触する第２固定部を具備することを特徴とする、請求項９に記載の制御装置。
【請求項１２】
前記外力伝達部と連結されて前記外力伝達部の位置移動に必要な外力を提供する外力提供部；をさらに含む、請求項１に記載の制御装置。
【請求項１３】
前記外力提供部は、
前記ボディー部の外側に配置されて前記ボディー部の前方側壁および前記ボディー部の後方側壁のうち少なくとも一つをカバーすることを特徴とする、請求項１２に記載の制御装置。
【請求項１４】
前記外力提供部は、
前記ボディー部の外側に配置されて前記ボディー部の上方側壁および前記ボディー部の下方側壁のうち少なくとも一つをカバーすることを特徴とする、請求項１２に記載の制御装置。
【請求項１５】
前記外力提供部は、
直線運動によって前記外力伝達部を前記第３位置から前記第４位置に移動させることを特徴とする、請求項１３に記載の制御装置。
【発明の詳細な説明】
【技術分野】
【０００１】
本発明はバンド、制御装置およびバンド調節装置に関するものであって、さらに詳細には装置の小型化を実現しながらもユーザーに便宜性を提供するようにする制御装置に関するものである。
【背景技術】
【０００２】
従来の衣類やカバンなどの被着物において、幅を減らしたり広げる目的のバックル装置の用途については広く知られている。
【０００３】
このような被着物に用いられるバックル装置は、基本的にバンドとバックルからなり、バックルはバンドの両端部を結束するかまたはズボンやスカートなどの腰部に備えられてズボンやスカートなどの腰回りを着用者の腰回りに合わせて調節する機能を提供する。
【０００４】
また、カバンやハンドバッグなどで入口を縮小または拡張するなどの目的にも活用され、時計バンドなどにも用いられて時計バンドの周りを着用者の手首に合わせて調節する目的にも活用される。
【０００５】
前記のような目的のために使用されるバックルは、バンドが引き締まる方向、すなわち、順方向にはバンドの引っ張りにによって自由なスライド移動が提供されるが、バンドが緩む方向、すなわち、逆方向には移動が拘束されてバンドが緩まない引き締まり状態が維持される。
【０００６】
従来のバックルは、前記のような目的を達成するために、バンドが通過するバックルハウジング、前記バックルハウジング内に回転可能に装着されるボタンおよび前記ボタンによって位置が移動されてバンドの拘束の有無を調節する係止手段および前記ボタンに弾性力を提供するスプリングを含んでいる。
【０００７】
ここで、従来のバックルに提供されるボタンは、バックルハウジングの上方に突出して回転可能であり、ユーザーがバンドの引き締まり状態を解除する場合、前記バックルハウジングの上方に突出したボタンを回転させてこれを実現した。
【０００８】
しかし、従来のバックルはボタンの反復的な使用によって破損する問題が発生するため耐久性が優秀でなく、部品数が多いため組立工程が複雑であるという問題があった。
【０００９】
また、従来のバックルに使用される従来のバンドは、バックルハウジング内に挿入されるようになるが、挿入時にバックルハウジングに係止されてしまうため簡単に挿入するには問題があった。
【００１０】
すなわち、従来のバックルおよびバンドは、ユーザーに便宜性を提供できないという問題が存在する。
【発明の概要】
【発明が解決しようとする課題】
【００１１】
本発明の一目的は、ユーザーに便宜性を提供し、小型化を実現し、意図しないバンドの引き締まり状態の解除を未然に防止する制御装置を提供することである。
【００１２】
また、本発明の他の一目的は、ユーザーに便宜性を提供するように開発されたバンドおよびこれを含むバンド調節装置を提供することである。
【課題を解決するための手段】
【００１３】
本発明の一実施例に係る制御装置は、バンドの第１方向への移動は自由であるが前記第１方向と反対方向の第２方向への移動は選択的に具現されるようにする装置であって、前記バンドの一側端が挿入される挿入空間と前記挿入空間に挿入された前記バンドの一側端が流出する流出空間を具備するボディー部；および前記ボディー部の外側に突出しないように前記ボディー部の内部空間に位置し、回転軸を基準として第１位置と第２位置との間で位置変化が可能であり、前記第１位置である場合、前記バンドと接触したまま前記バンドの前記第１方向への移動を自由にするものの、前記第２位置である場合、前記バンドと非接触したまま前記バンドの前記第２方向への移動を自由にするバンド制御部；第３位置に位置して前記バンド制御部が前記第１位置に位置するようにし、前記バンド制御部を前記第１位置から前記第２位置に位置変化させるように、前記バンド制御部と接触した状態で前記第３位置から第４位置に位置変化される外力伝達部；を含むことができる。
【００１４】
本発明の一実施例に係る制御装置の前記外力伝達部は、前記第３位置から前記第４位置への直線運動によって前記バンド制御部を回転させて前記第１位置から前記第２位置に位置変化させることを特徴とすることができる。
【００１５】
本発明の一実施例に係る制御装置の前記外力伝達部は、前記内部空間に位置して前記バンド制御部との接触によって前記バンド制御部を前記第１位置から前記第２位置に変化させる接触部および前記内部空間の外側に位置して前記接触部の位置移動に必要な外力が印加されるようにする外力印加部を具備することを特徴とすることができる。
【００１６】
本発明の一実施例に係る制御装置の前記ボディー部は、前記内部空間を規定する前方側壁、後方側壁、上方側壁および下方側壁を具備し、前記内部空間は、前記前方側壁と前記後方側壁の間に前記バンドが位置する場合、前記バンド制御部の位置が前記第１位置であるか前記第２位置であるかに関わらず、一定の大きさを有することを特徴とすることができる。
【００１７】
本発明の一実施例に係る制御装置の前記バンド制御部は、前記ボディー部と一体に形成されることを特徴とすることができる。
【００１８】
本発明の一実施例に係る制御装置の前記バンド制御部は、前記ボディー部から折り曲げられた後、前記内部空間に位置した前記バンドに向かって傾斜して形成されるか丸みを有して形成される変化部を具備し、前記外力伝達部は、外力による前記変化部との接触によって前記バンド制御部を前記第１位置から前記第２位置に変化させることを特徴とすることができる。
【００１９】
本発明の一実施例に係る制御装置の前記バンド制御部は、前記外力が除去されると、自ら保有している弾性によって前記第２位置から前記第１位置に復帰することを特徴とすることができる。
【００２０】
本発明の一実施例に係る制御装置の前記ボディー部は、前記内部空間を規定する前方側壁、後方側壁、上方側壁および下方側壁を具備し、前記上方側壁および前記下方側壁は、前記バンドの移動方向に沿って長く貫通して形成される貫通部を具備し、前記外力伝達部は、前記貫通部に挿入されて前記貫通部内での位置移動が可能に配置され、前記バンド制御部は、前記前方側壁の内側面に位置する基準部および前記基準部から前記内部空間に位置した前記バンドに向かって傾斜して形成されるか丸みを有して形成される変化部を具備し、前記基準部は、前記バンド制御部が前記第１位置から前記第２位置に変化するための回転軸を提供することを特徴とすることができる。
【００２１】
本発明の一実施例に係る制御装置は、外力による前記外力伝達部の位置移動によって、前記バンド制御部が前記第１位置から第２位置に変化した後、前記外力が除去されると、前記バンド制御部が前記第２位置から前記第１位置に復帰するように、前記内部空間に位置する弾性部；をさらに含むことができる。
【００２２】
本発明の一実施例に係る制御装置の前記ボディー部は、前記バンド制御部が前記弾性部による加圧力によって前記第２方向に移動することを防止するように、前記挿入空間側に提供される第１固定部を具備することを特徴とすることができる。
【００２３】
本発明の一実施例に係る制御装置の前記ボディー部は、前記外力伝達部によって前記バンド制御部が前記第１位置から前記第２位置に移動する場合、前記弾性部が前記第１方向に移動することを防止するように、前記流出空間側に提供されて前記弾性部と接触する第２固定部を具備することを特徴とすることができる。
【００２４】
本発明の一実施例に係る制御装置は、前記外力伝達部と連結されて前記外力伝達部の位置移動に必要な外力を提供する外力提供部；をさらに含むことができる。
【００２５】
本発明の一実施例に係る制御装置の前記外力提供部は、前記ボディー部の外側に配置されて前記ボディー部の前方側壁および前記ボディー部の後方側壁のうち少なくとも一つをカバーすることを特徴とすることができる。
【００２６】
本発明の一実施例に係る制御装置の前記外力提供部は、前記ボディー部の外側に配置されて前記ボディー部の上方側壁および前記ボディー部の下方側壁のうち少なくとも一つをカバーすることを特徴とすることができる。
【００２７】
本発明の一実施例に係る制御装置の前記外力提供部は、直線運動によって前記外力伝達部を前記第３位置から前記第４位置に移動させることを特徴とすることができる。
【発明の効果】
【００２８】
本発明に係るバンド、制御装置およびバンド調節装置によると、従来に比べて部品数が節減するため製造工程を単純化することができ、これによって製造単価を削減させることができる。
【００２９】
また、円滑なバンドのスライディングができると共に容易にスライディング操作ができるようにして、ユーザーに便宜性を提供することができる。
【００３０】
また、小型化が可能であるため適用分野を最大化することができる。
【００３１】
また、意図しないバンドの引き締まり状態の解除を未然に防止することができる。
【００３２】
また、バンドの制御装置内への挿入を円滑にしてユーザーに便宜性を提供することができる。
【００３３】
また、バンドの反復的な使用による破損を未然に防止することができる。
【図面の簡単な説明】
【００３４】
【図１】本発明の第１実施例に係る制御装置を含むバンド調節装置を説明するための概略斜視図。
【図２】本発明の第１実施例に係る制御装置を含むバンド調節装置を説明するための概略正面図。
【図３】図１のＡＡ線に沿った概略断面図。
【図４】本発明の第１実施例に係る制御装置を説明するための概略分解斜視図。
【図５】本発明の第１実施例に係る制御装置によってバンドが移動する原理を説明するための図面。
【図６】本発明の第１実施例に係る制御装置によってバンドが移動する原理を説明するための図面。
【図７】本発明の第１実施例に係る制御装置に提供されるバンド制御部がボディー部に装着される方法に対する多様な実施例を図示した図面。
【図８】本発明の第１実施例に係る制御装置に提供されるバンド制御部の変形例を説明するための図面。
【図９】本発明の第２実施例に係る制御装置の内部構成図。
【図１０】本発明の第３実施例に係る制御装置を含むバンド調節装置を説明するための概略斜視図。
【図１１】本発明の第３実施例に係る制御装置によってバンドが移動する原理を説明するための図面。
【図１２】本発明の第３実施例に係る制御装置によってバンドが移動する原理を説明するための図面。
【図１３】本発明の第４実施例に係る制御装置を含むバンド調節装置を説明するための概略斜視図。
【図１４】本発明の第５実施例に係る制御装置を含むバンド調節装置を説明するための概略斜視図。
【図１５】本発明の第５実施例に係る制御装置を図示した概略分解斜視図。
【図１６】図１４のＢＢ線に沿った概略断面図。
【図１７】本発明の第５実施例に係る制御装置によってバンドが移動する原理を説明するための図面。
【図１８】本発明の第５実施例に係る制御装置によってバンドが移動する原理を説明するための図面。
【図１９】本発明の第５実施例に係る制御装置の第１変形例を図示した図面。
【図２０】本発明の第５実施例に係る制御装置の第２変形例を図示した図面。
【図２１】本発明の実施例に係る制御装置の使用例を図示した図面。
【図２２】本発明の実施例に係る制御装置の使用例を図示した図面。
【図２３】本発明の第６実施例に係る制御装置を図示した概略斜視図。
【図２４】図２３のＣＣ線に沿った概略断面図。
【図２５】本発明の第６実施例に係る制御装置のロック部のロック解除原理を説明するための図面。
【図２６】図２３のＣＣ線に沿った他の概略断面図。
【図２７】図２６に係る制御装置のロック部のロック解除原理を説明するための図面。
【図２８】本発明の第７実施例に係る制御装置を図示した概略斜視図。
【図２９】図２８のＤＤ線に沿った概略断面図。
【図３０】図２８のＤＤ線に沿った概略断面図。
【図３１】本発明の第８実施例に係るバンド調節装置を図示した概略斜視図。
【図３２】本発明の第８実施例に係るバンド調節装置を図示した概略斜視図。
【図３３】本発明の第８実施例に係るバンド調節装置に提供される制御装置とバンドを分離して図示した図面。
【図３４】本発明の第８実施例に係るバンド調節装置に提供される制御装置とバンドを分離して図示した図面。
【図３５】図３１のＥＥ線に沿った概略断面図。
【図３６】本発明の第８実施例に係るバンド調節装置を説明するための概略分解斜視図。
【図３７】本発明の第８実施例に係るバンド調節装置に提供されるバンドを説明するための図面。
【図３８】本発明の第８実施例に係るバンド調節装置に提供されるバンドを説明するための図面。
【図３９】本発明の第８実施例に係るバンド調節装置に提供されるバンドを説明するための図面。
【図４０】本発明の第８実施例に係るバンド調節装置に提供されるバンドを説明するための図面。
【図４１】バンドが制御装置に挿入される初期状態を図示した図面。
【図４２】本発明の第８実施例に係るバンド調節装置に提供される制御装置からバンドが第２方向に移動する原理を説明するための図面。
【図４３】本発明の第８実施例に係るバンド調節装置に提供される制御装置からバンドが第２方向に移動する原理を説明するための図面。
【図４４】それぞれ本発明に係るバンド調節装置の使用例を説明するための図面。
【図４５】それぞれ本発明に係るバンド調節装置の使用例を説明するための図面。
【図４６】本発明の第８実施例に係るバンド調節装置に提供されるバンドの変形例を図示した図面。
【発明を実施するための形態】
【００３５】
本発明の一実施例に係る制御装置は、バンドの第１方向への移動は自由であるが前記第１方向と反対方向の第２方向への移動は選択的に具現されるようにする装置であって、前記バンドの一側端が挿入される挿入空間と前記挿入空間に挿入された前記バンドの一側端が流出する流出空間を具備するボディー部；および前記ボディー部の外側に突出しないように前記ボディー部の内部空間に位置し、回転軸を基準として第１位置と第２位置との間で位置変化が可能であり、前記第１位置である場合、前記バンドと接触したまま前記バンドの前記第１方向への移動を自由にするものの、前記第２位置である場合、前記バンドと非接触したまま前記バンドの前記第２方向への移動を自由にするバンド制御部；第３位置に位置して前記バンド制御部が前記第１位置に位置するようにし、前記バンド制御部を前記第１位置から前記第２位置に位置変化させるように、前記バンド制御部と接触した状態で前記第３位置から第４位置に位置変化される外力伝達部；を含むことができる。
【００３６】
以下では図面を参照して本発明の具体的な実施例を詳細に説明する。ただし、本発明の思想は提示される実施例に制限されず、本発明の思想を理解する当業者は同一思想の範囲内で他の構成要素を追加、変更、削除等を通して、退歩的な他の発明や本発明思想の範囲内に含まれる他の実施例を容易に提案することができ、これも本願の発明思想の範囲内に含まれるべきである。
【００３７】
また、各実施例の図面に示される同一思想の範囲内の機能が同じである構成要素は、同一の参照符号を使用して説明する。
【００３８】
以下で説明する本発明に係る制御装置は、カバン、靴、衣類、ベルトおよび時計バンドなどの多様な製品に活用され得、さらに、サスベンダーなどに使用されて長さの微細調節が可能であるように使用されてもよい。
【００３９】
図１は本発明の第１実施例に係る制御装置を含むバンド調節装置を説明するための概略斜視図であり、図２は本発明の第１実施例に係る制御装置を含むバンド調節装置を説明するための概略正面図である。
【００４０】
また、図３は図１のＡＡ線に沿った概略断面図であり、図４は本発明の第１実施例に係る制御装置を説明するための概略分解斜視図である。
【００４１】
図１〜図４を参照すると、本発明に係るバンド調節装置１０は、バンドＢと制御装置１００を含むことができる。
【００４２】
制御装置１００は、バンドＢの第１方向Ｄ１への移動を自由にする反面、前記第１方向Ｄ１と反対の第２方向Ｄ２への前記バンドＢの移動は選択的に具現されるようにする一種のバックルであり得る。
【００４３】
前記制御装置１００は、ボディー部１１０、バンド制御部１２０および外力伝達部１４０を含むことができ、概略的に前記ボディー部１１０は前記制御装置１００の外観を提供することができる。
【００４４】
前記ボディー部１１０は、前記バンドＢの一側端が挿入される挿入空間Ｓ１と前記挿入空間Ｓ１に挿入された前記バンドＢの一側端が流出する流出空間Ｓ２を具備する構成要素であり得る。
【００４５】
前記バンド制御部１２０は、前記ボディー部１１０の外側に突出しないように前記ボディー部１１０の内部空間Ｓ３に位置し、回転軸を基準として第１位置と第２位置との間で位置変化が可能であり得、前記第１位置である場合、前記バンドＢと接触したまま前記バンドＢの前記第１方向Ｄ１への移動を自由にするものの、前記第２位置である場合、前記バンドＢと非接触したまま前記バンドＢの前記第２方向Ｄ２への移動を自由にする構成要素であり得る。
【００４６】
そして、前記外力伝達部１４０は、第３位置に位置して前記バンド制御部１２０が前記第１位置に位置するようにし、前記バンド制御部１２０を前記第１位置から前記第２位置に位置変化させるように、前記バンド制御部１２０と接触した状態で前記第３位置から第４位置に位置変化する構成要素であり得る。
【００４７】
ここで、位置に対する用語を定義すると、前記第１位置および前記第３位置は図３に図示された位置であり得、前記第２位置および前記第４位置は図６に図示された位置であり得る。
【００４８】
前記外力伝達部１４０は、前記バンドＢの第２方向Ｄ２への移動を実現するための一種のスイッチであり得、ユーザーの外力をバンド制御部１２０に伝達する機能を遂行することができる。
【００４９】
前記外力伝達部１４０は、前記バンド制御部１２０を前記第１位置から前記第２位置に位置変化させるために、前記第３位置から前記第４位置に直線運動することができる。
【００５０】
この時、前記バンド制御部１２０は前記外力伝達部１４０の直線運動によって回転することができ、このような回転運動によって前記第１位置から前記第２位置に位置変化することができる。
【００５１】
ここで、前記第１位置および前記第２位置は、前記バンド制御部１２０の回転運動によって規定される位置であり得、前記第３位置および前記第４位置は、前記外力伝達部１４０の直線運動によって規定される位置であり得る。
【００５２】
具体的には、前記第３位置および前記第４位置は、前記外力伝達部１４０の水平方向への直線運動によって規定される位置であり得る。
【００５３】
一方、前記外力伝達部１４０は前記バンド制御部１２０とバンドＢの間に位置することができ、前記外力伝達部１４０の第３位置および前記第４位置の相互間の位置移動を実現するために、前記ボディー部１１０は貫通して形成される貫通部１１１を具備することができる。
【００５４】
前記貫通部１１１は、前記ボディー部１１０の内部空間Ｓ３を規定する前方側壁１１２、後方側壁１１４、上方側壁１１６および下方側壁１１８のうち前記上方側壁１１６と前記下方側壁１１８に形成され得る。
【００５５】
前記貫通部１１１は、前記バンドＢの移動方向、すなわち、水平方向に沿って所定の長さで長く貫通して形成され得、前記外力伝達部１４０は前記貫通部１１１に挿入されて前記貫通部１１１内での位置移動が可能に配置され得る。
【００５６】
前記外力伝達部１４０は、前記内部空間Ｓ３に位置して前記バンド制御部１２０との接触によって前記バンド制御部１２０を前記第１位置から前記第２位置に変化させる接触部１４２および前記内部空間Ｓ３の外側に位置して前記接触部１４２の位置移動に必要な外力が印加されるようにする外力印加部１４４を具備することができる。
【００５７】
ここで、前記外力印加部１４４のうち少なくとも一つは組立容易性のために前記接触部１４２と着脱可能であり得る。
【００５８】
つまり、前記外力印加部１４４はユーザーの指による外力が提供される構成要素であり得、前記接触部１４２は前記外力印加部１４４と連結されて前記接触部１４２と連動して移動する構成要素であり得る。
【００５９】
前記バンド制御部１２０は、前記前方側壁１１２の内側面に位置する基準部１２２および前記基準部１２２から前記内部空間Ｓ３に位置した前記バンドＢを傾斜して形成するか丸みを有して形成される変化部１２４を具備することができる。
【００６０】
ここで、前記基準部１２２は、前記バンド制御部１２０が前記第１位置から前記第２位置に変化するための回転軸を提供することができる。
【００６１】
前記基準部１２２は図面に図示された通り、所定の大きさの空間を形成する円弧状に形成され得るが、必ずしもこれに限定されず、内部が中実の構造でもよい。
【００６２】
前記基準部１２２と前記ボディー部１１０の前方側壁１１２の内側面の接触面は、丸みを有して形成されて前記バンド制御部１２０の回転運動を容易にさせることができる。
【００６３】
そして、前記バンド制御部１２０は前記前方側壁１１２の内側面から突出して形成される第１突出部１１９により第１方向Ｄ１への移動が制限され得る。
【００６４】
一方、前記バンド制御部１２０が外力による外力伝達部１４０の位置移動によって第１位置から第２位置に変化した後、前記外力が除去されると、前記バンド制御部１２０は前記内部空間Ｓ３に位置する弾性部１３０により前記第２位置から前記第１位置に自動で復帰され得る。
【００６５】
ここで、前記バンド制御部１２０は前記弾性部１３０により挿入空間Ｓ１側に加圧、すなわち、前記第２方向Ｄ２に加圧されるが、前記弾性部１３０による加圧力にもかかわらず、前記ボディー部１１０の挿入空間Ｓ１側に形成される第１固定部１１７により前記ボディー部１１０の挿入空間Ｓ１側に安定的に位置することができる。
【００６６】
つまり、前記バンド制御部１２０は前記基準部１２２と前記ボディー部１１０の前方側壁１１２の内側面との接触および前記基準部１２２と前記第１固定部１１７との接触により、前記バンド制御部１２０にかかる荷重に対して支持荷重が最大化されるようになる。
【００６７】
前記第１固定部１１７は前記ボディー部１１０が折り曲げられて形成されるが、必ずしもこれに限定されず、多様な方法によって形成され得る。
【００６８】
前記弾性部１３０は、前記バンド制御部１２０が前記外力伝達部１４０により前記第１位置から前記第２位置に位置変化する場合に弾性変形され得、前記外力伝達部１４０に加えられた外力が除去されると、弾性変形による復元力によって前記バンド制御部１２０を前記第２位置から前記第１位置に復帰させることができる。
【００６９】
一方、前記ボディー部１１０は流出空間Ｓ２側に弾性部１３０の位置を固定する第２固定部１１５を具備することができる。
【００７０】
前記第２固定部１１５は、前記外力伝達部１４０により前記バンド制御部１２０が前記第１位置から前記第２位置に移動する場合、前記弾性部１３０が前記第１方向Ｄ１に移動することを防止するように前記流出空間Ｓ２側に提供されて前記弾性部１３０と接触する構成要素であり得る。
【００７１】
前記弾性部１３０は、前記ボディー部１１０の流出空間Ｓ２側の内側面に接触する支持部１３２、前記支持部１３２から前記バンドＢに向かって傾斜して延びる弾性力提供部１３４、前記支持部１３２から切開された後に第１角度で折り曲げられる翼部１３６および前記翼部１３６の間に位置し、前記第１角度よりも大きい第２角度で折り曲げられる押され防止部１３８を含むことができる。
【００７２】
ここで、前記第２角度は前記支持部１３２を基準として概略９０度であり得る。
【００７３】
前記第２固定部１１５は前記ボディー部１１０が複数回折り曲げられて形成され得、両側には前記弾性部１３０の翼部１３６が挿入され得るようにする空間Ｓ４が形成され得る。
【００７４】
前記空間Ｓ４に前記翼部１３６が挿入される場合、前記空間Ｓ４が形成された前記第２固定部１１５の一面には押され防止部１３８が接触することができる。
【００７５】
前記押され防止部１３８は、前記第２固定部１１５の一面との接触によって前記弾性力提供部１３４が弾性変形されて発生する流出空間Ｓ２側への押され現象を防止することができる。
【００７６】
前記弾性部１３０は前記ボディー部１１０の前方側壁１１２の内側面に突出して形成される第２突出部１１３により安定的に位置固定され得る。
【００７７】
図５および図６は、本発明の第１実施例に係る制御装置によってバンドが移動する原理を説明するための図面である。
【００７８】
図５および図６を参照すると、本発明の第１実施例に係る制御装置１００にバンドＢが挿入空間Ｓ１に流入すると、前記バンドＢは前記バンド制御部１２０と接触したまま第１方向Ｄ１への移動は自由であり得る。
【００７９】
ただし、第１方向Ｄ１の反対方向である第２方向Ｄ２への移動は前記バンド制御部１２０がバンドＢの係止部Ｂ１に係止されるため不可能となり得る。
【００８０】
ここで、前記第２方向Ｄ２への移動を自由にするために、外力を外力伝達部１４０に印加して前記外力伝達部１４０を前記第１方向Ｄ１に移動させることができる。
【００８１】
前記外力伝達部１４０が前記第１方向Ｄ１に移動すると、前記バンド制御部１２０が回転軸を基準として回転して前記バンドＢの係止部Ｂ１から分離されるようになり、前記バンドＢは第２方向Ｄ２に自由に移動することができる。
【００８２】
この時、弾性部１３０は弾性変形され得、前記外力を除去すると、前記バンド制御部１２０および外力伝達部１４０は前記弾性部１３０の弾性変形による復元力によって元の位置に復帰され得る。
【００８３】
前記内部空間Ｓ３は、ボディー部１１０の前方側壁１１２と後方側壁１１４の間に前記バンドＢが位置する場合、前記バンド制御部１２０の位置が前記第１位置であるか前記第２位置であるかに関わらず、一定の大きさを有することができる。
【００８４】
すなわち、前記内部空間Ｓ３は前記外力伝達部１４０の位置および前記バンド制御部１２０の位置に関わらず、一定の大きさを有することができるのである。
【００８５】
一方、前記バンドＢが前記第１方向Ｄ１に移動する場合および前記バンド制御部１２０が前記バンドＢの係止部Ｂ１に係止される場合、前記バンドＢの係止部Ｂ１が形成される一面の反対面は前記後方側壁１１４と接触するようになって前記後方側壁１１４が前記バンドＢを支持する構造となる。
【００８６】
これによって、前記バンド制御部１２０が前記バンドＢに加えられる荷重にもかかわらず、支持荷重が向上して前記バンドＢの破損を防止することができ、全体としてスリム化が可能であるという利点がある。
【００８７】
そして、前記バンドＢを前記第２方向Ｄ２に移動させようとする場合、ユーザーは一方の手で前記外力伝達部１４０のみを把持し、他方の手で前記バンドＢを把持した後、前記バンドＢを前記第２方向Ｄ２に移動させる外力さえ印加すれば、前記バンドＢの係止部Ｂ１に係止されていたバンド制御部１２０が自然に解除されるため、便宜性が増大する効果がある。
【００８８】
一方、本発明の第１実施例に係る制御装置１００は、前記外力伝達部１４０の直線運動の有無を調節できる構成要素を具備することができ、例えば、楔の形態のスイッチがボディー部１００に位置移動可能に装着され、前記スイッチによって前記外力伝達部１４０の直線運動を不可能にすることができる。
【００８９】
もちろん、前記外力伝達部１４０の直線運動を可能にするためには、前記スイッチを移動させて前記外力伝達部１４０の干渉を解除すればよい。
【００９０】
図７は本発明の第１実施例に係る制御装置に提供されるバンド制御部がボディー部に装着される方法に対する多様な実施例を図示した図面であり、図８は本発明の第１実施例に係る制御装置に提供されるバンド制御部の変形例を説明するための図面である。
【００９１】
図７（ａ）を参照すると、バンド制御部１２０はボディー部１１０にピンＰ１により固定され得る。この時、基準部１２２により提供される空間に前記ピンＰ１が挿入される。
【００９２】
一方、バンド制御部１２０は、ボディー部１１０の上方側壁１１６および下方側壁１１８の内面のうち一部が内部空間Ｓ３に突出し、突出した部分が基準部１２２により提供される空間に挿入されて前記ボディー部１１０に固定され得る。
【００９３】
例えば、図７（ｂ）に図示された通り、バンド制御部１２０はボディー部１１０の所定領域Ｒが切開された後に折り曲げられて前記ボディー部１１０に固定され得る。この時、基準部１２２により提供される空間に前記所定領域Ｒが挿入される。
【００９４】
図７（ｃ）を参照すると、バンド制御部１２０はボディー部１１０にスプリングによって長さ調節が可能なピンＰ２により固定され得る。この時、基準部１２２により提供される空間に前記ピンＰ２が挿入される。
【００９５】
バンド制御部１２０’の基準部１２２’は図８（ａ）に図示された通り、変化部１２４’から前方側壁１１２に向かって折り曲げられて形成され得、図８（ｂ）に図示された通り、前記バンド制御部１２０”の基準部１２２”は変化部１２２”から後方側壁１１４に向かって折り曲げられて形成され得る。
【００９６】
ここで、図７を参照して説明した方法により、前記バンド制御部１２０’、１２０”はボディー部１１０上に回転可能に固定され得る。
【００９７】
例えば、前記バンド制御部１２０’はピンＰ１等によって前記ボディー部１１０上に安定的に回転可能に固定され得る。
【００９８】
一方、前記バンド制御部１２０’、１２０”は、前記ボディー部１１０上での安定した位置固定を最大化するために、第１固定部１１７と接触する補助部１２６’、１２６”を具備することができる。
【００９９】
前記補助部１２６’、１２６”は、前記基準部１２２’、１２２”の間で変化部１２４’、１２４”から丸みを帯びるか傾斜して折り曲げられて形成され得、前記バンド制御部１２０’、１２０”は前記補助部１２６’、１２６”によって弾性部１３０による加圧力にもかかわらず、安定的に前記ボディー部１１０上に位置固定され得る。
【０１００】
前方側壁１１２または後方側壁１１４に向かって折り曲げられて形成され得、図７を参照して説明した方法によりボディー部１１０上に回転可能に固定され得る。
【０１０１】
図９は、本発明の第２実施例に係る制御装置の内部構成図である。図９を参照すると、本発明の第２実施例に係る制御装置２００は図１〜図８を参照して説明した本発明の第１実施例に係る制御装置１００と比較する時、弾性部１３０が省略された構造であり得る。
【０１０２】
本発明の第２実施例に係る制御装置２００はバンド制御部２２０を含むことができ、前記バンド制御部２２０はボディー部２１０と一体に形成され得る。
【０１０３】
前記バンド制御部２２０は前記ボディー部２１０の挿入空間Ｓ１側の一部が折り曲げられて内部空間Ｓ３に位置することができる。
【０１０４】
具体的には、前記バンド制御部２２０は前記ボディー部２１０から折り曲げられた後、前記内部空間Ｓ３に位置できるバンドＢに向かって傾斜して形成されるか丸みを有して形成される変化部２２４を具備することができる。
【０１０５】
この時、外力伝達部２４０は外力による前記変化部２２４との接触によって前記バンド制御部２２０を前記第１位置から前記第２位置に変化させることができる。
【０１０６】
一方、前記バンド制御部２２０は前記外力伝達部２４０に加えられる外力が除去されると、自ら保有している弾性によって前記第２位置から前記第１位置に復帰され得る。
【０１０７】
図１０は本発明の第３実施例に係る制御装置を含むバンド調節装置を説明するための概略斜視図であり、図１１および図１２は本発明の第３実施例に係る制御装置によってバンドが移動する原理を説明するための図面である。
【０１０８】
図１０〜図１２を参照すると、本発明の第３実施例に係る制御装置３００は前記各実施例と比較する時、外力提供部３５０がさらに含まれた構造であり得る。
【０１０９】
前記外力提供部３５０は、外力伝達部３４０を貫通部３１１内で位置移動可能にする構成要素であり得、ユーザーによる外力によって前記外力提供部３５０が移動すると、外力伝達部３４０が位置移動され得る。
【０１１０】
前記外力提供部３５０は図１１および図１２に図示された通り、前記外力伝達部３４０に回転可能に連結され得、前記回転によって前記ボディー部３１０との干渉が解除されて前記外力伝達部３４０の位置移動が具現されるようにすることができる。
【０１１１】
ボディー部３１０の上方側壁３１６および下方側壁３１８のうち少なくとも一つは、前記外力提供部３５０との接触によって前記外力提供部３５０の回転を拘束するように突出して形成される回転拘束部３５９を具備することができる。
【０１１２】
したがって、前記外力提供部２５０を回転させて前記ボディー部３１０との干渉を解除するためには、前記回転拘束部３５９を通ることができるようにする外力が必要となる。
【０１１３】
一方、図１０〜図１２では前記外力提供部３５０が後方側壁３１４側に位置したものを図示したが、必ずしもこれに限定されず、前方側壁側に位置してもよい。
【０１１４】
図１３は、本発明の第４実施例に係る制御装置を含むバンド調節装置を説明するための概略斜視図である。図１３を参照すると、本発明の第４実施例に係る制御装置４００は、バンドＢが連結されたベルトＶと連結されるようにするためのベルト連結部４１６ａ、４１８ａを含むことができる。
【０１１５】
ここで、ボディー部４１０は内部空間を規定する前方側壁４１２、上方側壁４１６および下方側壁４１８を具備することができ、前記ベルト連結部４１６ａ、４１８ａは前記上方側壁４１６および前記下方側壁４１８の端部からそれぞれ前記第１方向Ｄ１に延びた後、相互に向かって折り曲げられて前記バンドＢが連結されたベルトＶが連結されるようにすることができる。
【０１１６】
前記ベルト連結部４１６ａ、４１８ａは前記ベルトＶが折り畳まれることを防止するように、屈曲して形成され得る。
【０１１７】
また、前記ベルト連結部４１６ａ、４１８ａは互いに連結されて一体に形成されてもよい。
【０１１８】
図１４は本発明の第５実施例に係る制御装置を含むバンド調節装置を説明するための概略斜視図であり、図１５は本発明の第５実施例に係る制御装置を図示した概略分解斜視図であり、図１６は図１４のＢＢ線に沿った概略断面図である。
【０１１９】
図１４〜図１６を参照すると、本発明の第５実施例に係る制御装置５００は前述した各実施例と比較する時、外力提供部５５０がさらに含まれた構造であり得る。
【０１２０】
前記外力提供部５５０は外力伝達部５４０を貫通部５１１内で位置移動可能にする構成要素であり得、ユーザーによる外力によって前記外力提供部５５０が移動すると、外力伝達部５４０が位置移動され得る。
【０１２１】
言い換えれば、前記外力提供部５５０が直線運動をするようになると、前記外力伝達部５４０は第３位置から第４位置に移動することができる。
【０１２２】
一方、前記外力提供部５５０は本発明の第５実施例に係る制御装置５００の前方側の外観を形成することができ、このため、前述した各実施例とは異なって以下ではボディー部５１０の側壁に対する定義を改める。
【０１２３】
すなわち、ボディー部５１０は、内部空間Ｓ３を規定する前方側壁５１２、後方側壁５１４、上方側壁５１６および下方側壁５１８を具備することができ、貫通部５１１は前記上方側壁５１６および前記下方側壁５１８にバンドＢの移動方向に沿って所定の長さで長く貫通して形成され得る。
【０１２４】
ここで、外力提供部５５０はねじ締結方式等を通して前記外力伝達部５４０と連結され得、前記外力伝達部５４０の位置移動に必要な外力を提供するように、前記後方側壁５１４と対向する側に配置されるか、後方側壁５１４側に配置され得る。
【０１２５】
前記外力提供部５５０は前記上方側壁５１６および前記下方側壁５１８の少なくとも一部を包囲することができ、具体的には、前記後方側壁５１４と対向する側に配置される前方側カバー部５５２、前記前方側カバー部５５２から前記上方側壁５１６および前記下方側壁５１８にそれぞれ延びる上方側カバー部５５４および下方側カバー部５５６を具備することができる。
【０１２６】
前記外力伝達部５４０は前記上方側カバー部５５４および前記下方側カバー部５５６と連結され得、前記前方側カバー部５５２は前方側壁５１２の前方側に位置することができる。
【０１２７】
つまり、前記外力提供部５５０は前記ボディー部５１０の外側に配置されて前記ボディー部５１０の前方側壁５１２および前記ボディー部５１０の後方側壁５１４のうち少なくとも一つをカバーすることができ、前記ボディー部５１０の上方側壁５１６および前記ボディー部の下方側壁５１８のうち少なくとも一つをカバーすることもできる。
【０１２８】
これはユーザーの便宜性により外力提供部５５０がカバーする対象を自由に調節できるということを意味する。
【０１２９】
図１７および図１８は、本発明の第５実施例に係る制御装置によってバンドが移動する原理を説明するための図面である。
【０１３０】
図１７および図１８を参照すると、本発明の第５実施例に係る制御装置５００にバンドＢが挿入空間Ｓ１に流入すると、前記バンドＢは前記バンド制御部５２０と接触したまま第１方向Ｄ１への移動は自由であり得る。
【０１３１】
ただし、第１方向Ｄ１の反対方向である第２方向Ｄ２への移動は前記バンド制御部５２０がバンドＢの係止部Ｂ１に係止されるため不可能となり得る。
【０１３２】
ここで、前記第２方向Ｄ２への移動を自由にするために、外力を外力提供部５５０に印加して前記外力伝達部５４０を前記第１方向Ｄ１に移動させることができる。
【０１３３】
前記外力提供部５５０および前記外力伝達部５４０が前記第１方向Ｄ１に移動すると、前記バンド制御部５２０が回転軸を基準として回転して前記バンドＢの係止部Ｂ１から分離されるようになり、前記バンドＢは第２方向Ｄ２に自由に移動することができる。
【０１３４】
この時、弾性部５３０は弾性変形され得、前記外力を除去すると、前記バンド制御部５２０、前記外力伝達部５４０および前記外力提供部５５０は前記弾性部５３０の弾性変形による復元力によって元の位置に復帰され得る。
【０１３５】
一方、前記内部空間Ｓ３はボディー部５１０の前方側壁５１２と後方側壁５１４の間に前記バンドＢが位置する場合、前記バンド制御部５２０の位置が前記第１位置であるか前記第２位置であるかに関わらず、一定の大きさを有することができる。
【０１３６】
すなわち、前記内部空間Ｓ３は前記外力伝達部５４０の位置および前記バンド制御部５２０の位置に関わらず、一定の大きさを有することができるのである。
【０１３７】
図１９は本発明の第５実施例に係る制御装置の第１変形例を図示した図面であり、図１４〜図１８を参照して説明した実施例でボディー部５１０の前方側壁５１２が除去された構造であり得る。
【０１３８】
図２０は本発明の第５実施例に係る制御装置の第２変形例を図示した図面であり、図１４〜図１８を参照して説明した実施例で外力提供部５５０の後方側カバー部５５８が追加された構造であり得る。
【０１３９】
前記外力提供部５５０は前方側カバー部５５２と対向する後方側カバー部５５８をさらに具備することができ、これによって前記ボディー部５１０の少なくとも一部を包囲することができる。
【０１４０】
図２１および図２２は、本発明の実施例に係る制御装置の使用例を図示した図面である。
【０１４１】
本発明の実施例に係る制御装置は、カバン、靴、衣類、ベルトおよび時計バンドなどの多様な製品に活用され得る。
【０１４２】
図２１に図示された通り、本発明の実施例に係る制御装置はベルトのバックルとして活用され得る。
【０１４３】
このために、バンドＢが連結されたベルトＶを制御装置のボディー部に連結できる構成要素が必要であり、具体的には、連結環３６０およびベルト連結部３７０が必要となり得る。
【０１４４】
前記連結環３６０は概略Ｃ字状に形成され得、前記ベルト連結部３７０は連結ボディー３７２および加圧部３７４を含むことができる。
【０１４５】
前記連結ボディー３７２はバンドＢが挿入され得る挿入ホールＨ１を具備することができ、後方側は一部が開放され得る。
【０１４６】
前記加圧部３７４は前記挿入ホールＨ１にベルトＶが挿入されると、前記連結ボディー３７２に挿入され得、前記連結ボディー３７２の後方側に形成される側壁３７３により後方側への離脱が防止され得る。
【０１４７】
前記加圧部３７４はねじＫ等が締結され得るねじホールＨ２を少なくとも一つ以上具備することができ、前記挿入ホールＨ１にベルトＶが挿入され、前記加圧部３７４が前記連結ボディー３７２に挿入されると、前記ねじＫ等によって前記ベルトＶは所定の位置に固定されて離脱が防止され得る。
【０１４８】
言い換えれば、前記挿入ホールＨ２に前記ベルトＶが挿入され、前記加圧部３７４が前記連結ボディー３７２に挿入されると、前記加圧部３７４の段差を有するように形成される側壁３７５は前記連結ボディー３７２の側壁３７３と接触され、このような接触による接触力によって前記ベルトＶの離脱は防止され得る。
【０１４９】
また、前記ねじＫが前記ねじホールＨ２内で回転して前記ベルトＶを加圧すればするほど、前記加圧部３７４は前記ベルトＶと遠くなり、側壁３７５と前記連結ボディー３７２の側壁３７３の接触力は増加するため、前記ベルトＶの離脱が発生しない。
【０１５０】
図２３は本発明の第６実施例に係る制御装置を図示した概略斜視図であり、図２４は図２３のＣＣ線に沿った概略断面図、図２５は本発明の第４実施例に係る制御装置のロック部のロック解除原理を説明するための図面である。
【０１５１】
図２３〜図２５を参照すると、本発明の第６実施例に係る制御装置６００は前述した各実施例と比較する時、ロック部６７０がさらに含まれた構造であり得る。
【０１５２】
前記ロック部６７０は外力提供部６５０および外力伝達部６４０の非理想的な位置移動を遮断するための構成要素であって、一種のロック装置であり得る。
【０１５３】
前記ロック部６７０は、ボディー部６１０の上方側壁６１６および下方側壁６１８のうち少なくとも一つとの接触によって前記外力伝達部６４０の位置移動の有無を制御することができる。
【０１５４】
前記ロック部６７０は外力伝達部６４０の一側に連結され得、外力伝達部６４０が位置移動する経路、すなわち、貫通部６１１を規定する内面に接触して前記外力伝達部６４０が前記貫通部６１１内で位置移動が不可能なロック状態（図２４に図示された状態）を実現することができる。
【０１５５】
そして、前記ロック部６７０は、前記外力伝達部６４０の位置移動によって前記貫通部６１１を規定する内面に非接触して前記外力伝達部６４０が前記貫通部６１１内で位置移動が可能な解除状態（図２５に図示された状態）を実現することができる。
【０１５６】
ここで、前記解除状態を実現する前記外力伝達部６４０の位置移動方向は上方側壁６１６から下方側壁６１８に向かう方向またはその反対方向であり得る。
【０１５７】
一方、前記外力伝達部６４０の一側と対応する外力提供部６５０の上方側カバー部６５４または下方側カバー部６５６は、前記ロック部６７０が前記ロック状態から前記解除状態に状態変化できるように前記ロック部６７０を収容できる収容空間である逃げ部６５７を具備することができる。
【０１５８】
前記外力提供部６５０の上方側カバー部６５４から突出した前記外力伝達部６４０の他方を押すと、前記外力伝達部６４０は上方側壁６１６から下方側壁６１８に向かう方向に位置移動され、これによって、ロック部６７０は貫通部６１１を規定する内面から前記下方側カバー部６５６の逃げ部６５７に移動する。
【０１５９】
つまり、この状態で外力提供部６５０および外力伝達部６４０はバンドＢの第２方向への移動が可能であるように位置移動することができるのである。
【０１６０】
ここで、前記外力伝達部６４０の他方を押していた外力を除去すると、前記外力伝達部６４０は下方側壁６１８から上方側壁６１６に向かう方向に移動することができ、言い換えれば元の位置に復帰され得る。
【０１６１】
これは弾性スプリングの一種である復帰部Ｅにより具現され得、前記復帰部Ｅは前記外力伝達部６４０の他方と前記外力伝達部６４０の他方と対応する上方側カバー部６５４または下方側カバー部６５６の間に配置されて、前記解除状態の前記ロック部６７０を前記ロック状態に復帰させることができる。
【０１６２】
図２６は図２３のＣＣ線に沿った他の概略断面図であり、図２７は図２６に係る制御装置のロック部のロック解除原理を説明するための図面である。
【０１６３】
図２６および図２７に図示されたロック部６７０’は図２４および図２５とは異なり、一部が切開された環状であり得、これによって、貫通部６１１も前記ロック部６７０’と対応する円形状を含むことができる。ここで、前記貫通部６１１は円形状と共に外力伝達部６４０’の直線運動を実現するために、円形状である部分より小さいが多少長く形成される部分を含むことができる。
【０１６４】
前記ロック部６７０’は一部が切開された環状に形成されて外力伝達部６４０’の下側から差し込まれて前記外力伝達部６４０’に固定され得る。
【０１６５】
図２８は本発明の第７実施例に係る制御装置を図示した概略斜視図であり、図２９および図３０は図２８のＤＤ線に沿った概略断面図である。
【０１６６】
図２８〜図３０を参照すると、本発明の第７実施例に係る制御装置７００は前述した各実施例と比較する時、ロック部７７０がさらに含まれた構造であり得る。
【０１６７】
前記ロック部７７０は外力提供部７５０および外力伝達部７４０の非理想的な位置移動を遮断するための構成要素であって、一種のロック装置であり得る。
【０１６８】
前記ロック部７７０はボディー部７１０の上方側壁７１６および下方側壁７１８のうち少なくとも一つとの接触によって前記外力伝達部７４０の位置移動の有無を制御することができる。
【０１６９】
ここで、前記ボディー部７１０の上方側壁７１６および下方側壁７１８のうち少なくとも一つは、前記ロック部７７０の少なくとも一部を収容ように貫通または陥入して形成される収容部７１３を具備することができる。
【０１７０】
前記ロック部７７０は前記収容部７１３に収容されて前記外力伝達部７４０が前記貫通部７１１内で位置移動が不可能なロック状態を実現し、位置移動による前記収容部７１３からの分離によって前記貫通部７１１内で前記外力伝達部７４０が位置移動が可能な解除状態を実現することができる。
【０１７１】
前記ロック部７７０は回転運動によって前記ロック状態と前記解除状態を実現することができ、図２９に図示された通り、一つの部材で形成されるか、図３０に図示された通り、複数の部材で形成されてもよい。
【０１７２】
前記ロック状態から前記解除状態に状態変化するための外力が前記ロック部７７０に提供されると、外力提供部７５０および外力伝達部７４０はバンドＢの第２方向Ｄ２への移動が可能であるように位置移動することができ、前記外力が除去されると、前記ロック部７７０は弾性スプリングの一種である復帰部Ｅにより元の位置に復帰して再びロック状態に変化され得る。
【０１７３】
図３１および図３２は本発明の第８実施例に係るバンド調節装置を図示した概略斜視図であり、図３３および図３４は本発明の第８実施例に係るバンド調節装置に提供される制御装置とバンドを分離して図示した図面である。
【０１７４】
そして、図３５は図３１のＥＥ線に沿った概略断面図であり、図３６は本発明の第８実施例に係るバンド調節装置を説明するための概略分解斜視図である。
【０１７５】
図３１〜図３６を参照すると、本発明に係るバンド調節装置８０はバンド９００と制御装置８００を含むことができる。
【０１７６】
制御装置８００はバンド９００の第１方向Ｄ１への移動を自由にする反面、前記第１方向Ｄ１と反対の第２方向Ｄ２への前記バンド９００の移動は選択的に具現されるようにする一種のバックルであり得る。
【０１７７】
前記制御装置８００は、ボディー部８１０、バンド制御部８２０および外力伝達部８４０を含むことができ、概略的に前記ボディー部８１０は前記制御装置８００の外観を提供することができる。
【０１７８】
前記ボディー部８１０は、前記バンド９００の一側端が挿入される挿入空間Ｓ１と前記挿入空間Ｓ１に挿入された前記バンド９００の一側端が流出する流出空間Ｓ２を具備する構成要素であり得る。
【０１７９】
前記バンド制御部８２０は、前記ボディー部８１０の外側に突出しないように前記ボディー部８１０の内部空間Ｓ３に位置し、回転軸を基準として第１位置と第２位置との間で位置変化が可能であり得、前記第１位置である場合、前記バンド９００と接触したまま前記バンド９００の前記第１方向Ｄ１への移動を自由にするものの、前記第２位置である場合、前記バンド９００と非接触したまま前記バンド９００の前記第２方向Ｄ２への移動を自由にする構成要素であり得る。
【０１８０】
そして、前記外力伝達部８４０は、第３位置に位置して前記バンド制御部８２０が前記第１位置に位置するようにし、前記バンド制御部８２０を前記第１位置から前記第２位置に位置変化させるように、前記バンド制御部８２０と接触した状態で前記第３位置から第４位置に位置変化する構成要素であり得る。
【０１８１】
ここで、位置に対する用語を定義すると、前記第１位置および前記第３位置は図３５に図示された位置であり得、前記第２位置および前記第４位置は図４２および図４３に図示された位置であり得る。
【０１８２】
前記外力伝達部８４０は前記バンド９００の第２方向Ｄ２への移動を実現するための一種のスイッチであり得、ユーザーの外力をバンド制御部８２０に伝達する機能を遂行することができる。
【０１８３】
前記外力伝達部８４０は、前記バンド制御部８２０を前記第１位置から前記第２位置に位置変化させるために、前記第３位置から前記第４位置に直線運動することができる。
【０１８４】
この時、前記バンド制御部８２０は前記外力伝達部８４０の直線運動によって回転することができ、このような回転運動によって前記第１位置から前記第２位置に位置変化することができる。
【０１８５】
ここで、前記第１位置および前記第２位置は、前記バンド制御部８２０の回転運動によって規定される位置であり得、前記第３位置および前記第４位置は、前記外力伝達部８４０の直線運動によって規定される位置であり得る。
【０１８６】
具体的には、前記第３位置および前記第４位置は、前記外力伝達部８４０の水平方向（第１方向または第２方向）への直線運動によって規定される位置であり得る。
【０１８７】
一方、前記外力伝達部８４０は、前記バンド制御部８２０とバンド９００の間に位置することができ、前記外力伝達部８４０の第３位置および前記第４位置の相互間の位置移動を実現するために、前記ボディー部８１０は貫通して形成される貫通部８１１を具備することができる。
【０１８８】
前記貫通部８１１は、前記ボディー部８１０の内部空間Ｓ３を規定する前方側壁８１２、後方側壁８１４、上方側壁８１６および下方側壁８１８のうち前記上方側壁８１６と前記下方側壁８１８に形成され得る。
【０１８９】
前記貫通部８１１は前記バンド９００の移動方向、すなわち、水平方向に沿って所定の長さで長く貫通して形成され得、前記外力伝達部８４０は前記貫通部８１１に挿入されて前記貫通部８１１内での位置移動が可能に配置され得る。
【０１９０】
ここで、前記貫通部８１１は、水平方向に沿って所定の長さで長く貫通して形成されるものに限定されず、水平方向に形成される区間と後方側壁８１４に向かって傾斜または丸みを有して形成される区間で形成されてもよい。この時、前記外力伝達部８４０の第３位置は傾斜または丸みを有して形成される区間の終端位置であり得、この場合、意図しない外力によって前記外力伝達部８４０が前記第４位置に移動することを未然に防止することができる。
【０１９１】
前記外力伝達部８４０は、前記内部空間Ｓ３に位置して前記バンド制御部８２０との接触によって前記バンド制御部８２０を前記第１位置から前記第２位置に変化させる接触部８４２および前記内部空間Ｓ３の外側に位置して前記接触部８４２の位置移動に必要な外力が印加されるようにする外力印加部８４４を具備することができる。
【０１９２】
ここで、前記外力印加部８４４のうち少なくとも一つは組立容易性のために前記接触部８４２と着脱可能であり得る。
【０１９３】
つまり、前記外力印加部８４４はユーザーの指による外力が提供される構成要素であり得、前記接触部８４２は前記外力印加部８４４と連結されて前記接触部８４２と連動して移動する構成要素であり得る。
【０１９４】
前記バンド制御部８２０は、前記前方側壁８１２の内側面に位置する基準部８２２および前記基準部８２２から前記内部空間Ｓ３に位置した前記バンド９００を傾斜して形成するか丸みを有して形成される変化部８２４を具備することができる。
【０１９５】
ここで、前記基準部８２２は前記バンド制御部８２０が前記第１位置から前記第２位置に変化するための回転軸を提供することができる。
【０１９６】
前記基準部８２２は図面に図示された通り、所定の大きさの空間を形成する円弧状に形成され得るが、必ずしもこれに限定されず、内部が中実の構造でもよい。
【０１９７】
前記基準部８２２と前記ボディー部８１０の前方側壁８１２の内側面の接触面は丸みを有して形成されて前記バンド制御部８２０の回転運動を容易にさせることができる。
【０１９８】
そして、前記バンド制御部８２０は、前記前方側壁８１２の内側面から突出して形成される第１突出部８１９により第１方向Ｄ１への移動が制限され得る。
【０１９９】
一方、前記バンド制御部８２０が外力による外力伝達部８４０の位置移動によって第１位置から第２位置に変化した後、前記外力が除去されると、前記バンド制御部８２０は前記内部空間Ｓ３に位置する弾性部８３０により前記第２位置から前記第１位置に自動で復帰され得る。
【０２００】
ここで、前記バンド制御部８２０は前記弾性部８３０により挿入空間Ｓ１側に加圧され得るが、前記弾性部８３０による加圧力にもかかわらず、前記ボディー部８１０の挿入空間Ｓ１側に形成される第１固定部８１７により前記ボディー部８１０の挿入空間Ｓ１側に安定的に位置することができる。
【０２０１】
前記第１固定部８１７は前記ボディー部８１０が折り曲げられて形成され得るが、必ずしもこれに限定されず、多様な方法によって形成され得る。
【０２０２】
前記弾性部８３０は、前記バンド制御部８２０が前記外力伝達部８４０により前記第１位置から前記第２位置に位置変化する場合に弾性変形され得、前記外力伝達部８４０に加えられた外力が除去されると、弾性変形による復元力によって前記バンド制御部８２０を前記第２位置から前記第１位置に復帰させることができる。
【０２０３】
一方、前記ボディー部８１０は流出空間Ｓ２側に弾性部８３０の位置を固定する第２固定部８１５を具備することができる。
【０２０４】
前記弾性部８３０は、前記ボディー部８１０の流出空間Ｓ２側の内側面に接触する支持部８３２、前記支持部８３２から前記バンド９００に向かって傾斜して延びる弾性力提供部８３４、前記支持部８３２から切開された後に第１角度で折り曲げられる折り曲げ部８３６および前記折り曲げ部８３６の間に位置して前記第１角度よりも大きい第２角度で折り曲げられる押され防止部８３８を含むことができる。
【０２０５】
ここで、前記第２角度は前記支持部８３２を基準として概略９０度であり得る。
【０２０６】
前記第２固定部８１５は前記ボディー部８１０が複数回折り曲げられて形成され得、両側には前記弾性部８３０の折り曲げ部８３６が挿入され得るようにする空間Ｓ４が形成され得る。
【０２０７】
前記空間Ｓ４に前記折り曲げ部８３６が挿入される場合、前記空間Ｓ４が形成された前記第２固定部８１５の一面には押され防止部８３８が接触することができる。
【０２０８】
前記押され防止部８３８は、前記第２固定部８１５の一面との接触によって前記弾性力提供部８３４が弾性変形されて発生する流出空間Ｓ２側への押され現象を防止することができる。
【０２０９】
前記弾性部８３０は前記ボディー部８１０の前方側壁８１２の内側面に突出して形成される第２突出部８１３により安定的に位置固定され得る。
【０２１０】
図３７〜図４０は本発明の第８実施例に係るバンド調節装置に提供されるバンドを説明するための図面であり、図４１はバンドが制御装置に挿入される初期状態を図示した図面である。
【０２１１】
図３７〜図４１を参照すると、バンド９００は前方面９１６および後方面９１８を具備して所定の長さに形成される本体部９１０および前記本体部９１０の第１方向Ｄ１側に連結されて前記本体部９１０の少なくとも一部が制御装置８００のボディー部８１０により提供される内部空間Ｓ３に挿入されることを案内するガイド部９２０を含むことができる。
【０２１２】
ここで、前記本体部９１０は前記ボディー部８１０により提供される内部空間Ｓ３に挿入される一対の翼部９１２および前記一対の翼部９１２を互いに連結して前記一対の翼部９１２を支持するものの、長さ方向（第１方向または第２方向）に沿って後方面側に突出して前記ボディー部８１０の後方側壁８１４の間でスライディングする支持部９１４を具備することができる。
【０２１３】
前記本体部９１０は、制御装置８００のバンド制御部８２０が第１位置に位置した状態でバンド９００を第２方向に移動しようとする場合、前記バンド制御部８２０が係止されるようにして前記第２方向Ｄ２への移動を遮断するように、前方面９１６に上下方向に形成される被係止部９４０を具備することができる。
【０２１４】
前記被係止部９４０は、一対の翼部９１２のそれぞれに前記支持部９１４を基準として対称に形成され得、前記前方面９１６から陥入して形成される凹部９４２と前記凹部９４２と隣接して突出して形成される凸部９４４を具備することができる。
【０２１５】
ただし、前記被係止部９４０は必ずしも前記凹部９４２と前記凸部９４４で具現される必要はなく、両方中のいずれか一つのみで具現されてもよい。
【０２１６】
ここで、前記凸部９４４は、前記バンド９００がボディー部８１０の内部空間Ｓ３内で第１方向Ｄ１に移動する場合、バンド制御部８２０との接触にもかかわらず、前記第１方向Ｄ１への移動が具現されるように、傾斜して形成される一面９４４ａを具備することができる。
【０２１７】
したがって、前記バンド９００は、前記第１方向Ｄ１に移動する場合、バンド制御部８２０の位置移動（回転）を繰り返すようにしつつ、移動できるようになる。
【０２１８】
一方、ガイド部９２０は本体部９１０から所定の高さ差をゆうして形成され得、具体的には、前記本体部９１０の前方面と所定の高さ差を形成する前方面を具備することができる。
【０２１９】
前記ガイド部９２０は、前記一対の翼部９１２が前記内部空間Ｓ３に挿入されて前記バンド９００が前記第１方向Ｄ１に移動しようとする場合、ボディー部８１０の後方側壁８１４の外側に位置し、前記本体部９１０の少なくとも一部である前記一対の翼部９１２が前記内部空間Ｓ３に挿入されるのを案内することができる。
【０２２０】
前記ガイド部９２０は、前記一対の翼部９１２が前記内部空間Ｓ３に挿入されて前記本体部９１０または前記バンド９００が前記第１方向Ｄ１に移動しようとする場合、前記後方側壁８１４の外側面と接触することができる。
【０２２１】
この時、前記ガイド部９２０は、前記後方側壁８１４の外側に進入して前記後方側壁８１４の外側面と対向する一面が形成され得、前記後方側壁８１４の外側面と対向する一面は傾斜するか丸みを有して形成される進入面９２２を具備することができる。
【０２２２】
したがって、ユーザーは前記本体部９１０を前記第１方向Ｄ１に移動させようとする場合、前記ガイド部９２０がボディー部８１０の後方側壁８１４と接触しても前記進入面９２２により前記後方側壁８１４の外側に自然に進入され得るため、バンド９００の移動を円滑に遂行できる。前記後方側壁８１４の外側面と対向する一面は、前記進入面９２２、前記進入面９２２と連結される水平面９２４および前記水平面９２４と連結されて傾斜するか丸みを有して形成される進出面９２６を具備することができる。
【０２２３】
一方、前記バンド９００は前記本体部９１０と前記ガイド部９２０を連結する連結部９３０をさらに含むことができる。
【０２２４】
前記連結部９３０は、前記ガイド部９２０が前記本体部９１０を基準として高さ差をゆうして位置するようにする構成要素であって、前記本体部９１０と前記ガイド部９２０の間に前記後方側壁８１４が挿入される空間Ｓ５が提供されるようにすることができる。
【０２２５】
前記空間Ｓ５により、前記バンド９００を第１方向Ｄ１に移動させる場合、前記後方側壁８１４がバンド９００が付着した被着物と接触することが防止され、前記被着物の破損を防止することができる。ここで、前記連結部９３０は前記本体部９１０および前記ガイド部９２０より小さい幅を具備することができる。
【０２２６】
前記連結部９３０は、前記本体部９１０が前記第１方向Ｄ１に移動する場合、前記ボディー部８１０の後方側壁８１４と接触しても、前記ボディー部８１０の後方側壁８１４のうちいずれか一つと他の一つの間に誘導されてスライディングされるように傾斜するか丸みを有して形成される一面９３２を具備することができる。
【０２２７】
前記本体部９１０の前記一対の翼部９１２は、前記一対の翼部９１２が前記内部空間Ｓ３に挿入されて前記バンド９００が前記第１方向Ｄ１に移動する場合、前記後方側壁８１４の内側に進入して前記後方側壁８１４の内側と対向する一面が形成され得る。
【０２２８】
前記後方側壁８１４の内側と対向する一面は、傾斜するか丸みを有して形成される安内面９１９を具備することができ、前記安内面９１９により前記一対の翼部９１２は前記後方側壁８１４の内側に円滑にスライディングなることになる。
【０２２９】
一方、本発明に係るバンド９００は前記本体部９１０の第２方向側に連結されて前記本体部９１０の第１方向Ｄ１への移動に対する限界を提供するストッパー部９５０を含むことができる。
【０２３０】
前記ストッパー部９５０は前記本体部９１０が前記第１方向Ｄ１に移動する場合、前記一対の翼９１２の後方面と高さ差を有する後方面を具備し、前記ボディー部８１０の後方側壁８１４が係止するようにすることができる。
【０２３１】
前記ストッパー部９５０はバンド９００が被着物に固定される部分であり得る。
【０２３２】
前記ストッパー部９５０は前記本体部９１０が第１方向Ｄ１に最大に移動した場合、意図しない外力によって発生し得る被着物からのバンド９００の浮きを防止し、耐久性を最大化することができる。
【０２３３】
一方、前記ストッパー部９５０の前方面は傾斜して形成され得、このため、裁縫によって被着物と連結させる場合、裁縫の効率を向上させることができる。
【０２３４】
図４２および図４３は、本発明の第８実施例に係るバンド調節装置に提供される制御装置からバンドが第２方向に移動する原理を説明するための図面である。
【０２３５】
図４２および図４３を参照すると、本発明に係るバンド調節装置８０に提供される制御装置８００にバンド９００が挿入空間Ｓ１に流入すると、前記バンド９００は前記バンド制御部８２０と接触したまま第１方向Ｄ１への移動は自由であり得る。
【０２３６】
ただし、第１方向Ｄ１の反対方向である第２方向Ｄ２への移動は、前記バンド制御部８２０がバンド９００の被係止部９４０に係止されるため不可能となり得る。
【０２３７】
ここで、前記第２方向Ｄ２への移動を自由にするために、外力を外力伝達部８４０に印加して前記外力伝達部８４０を前記第１方向Ｄ１に移動させることができる。
【０２３８】
前記外力伝達部８４０が前記第１方向Ｄ１に移動すると、前記バンド制御部８２０は回転軸を基準として回転して前記バンド９００の係止部Ｂ１から分離されるようになり、前記バンド９００は第２方向Ｄ２に自由に移動することができる。
【０２３９】
この時、弾性部８３０は弾性変形され得、前記外力を除去すると、前記バンド制御部８２０および外力伝達部８４０は前記弾性部８３０の弾性変形による復元力によって元の位置に復帰され得る。
【０２４０】
一方、前記内部空間Ｓ３はボディー部８１０の前方側壁８１２と後方側壁８１４の間に前記バンド９００が位置する場合、前記バンド制御部８２０の位置が前記第１位置であるか前記第２位置であるかに関わらず、一定の大きさを有することができる。
【０２４１】
すなわち、前記内部空間Ｓ３は前記外力伝達部８４０の位置および前記バンド制御部８２０の位置に関わらず、一定の大きさを有することができるのである。
【０２４２】
図４４および図４５はそれぞれ本発明に係るバンド調節装置の使用例を説明するための図面である。
【０２４３】
本発明に係るバンド調節装置８０は、カバン、靴、衣類、ベルトおよび時計バンドなどの多様な製品に活用され得、また、サスベンダーなどに使われて長さの微細調節が可能であるように使用されてもよい。
【０２４４】
例えば、図４４および図４５に図示された通り、本発明に係るバンド調節装置８０は時計の時計バンドに適用され得る。
【０２４５】
時計バンドの一側端には制御装置８００が連結され得、他側端にはバンド９００が連結され得る。
【０２４６】
ここで、図４４の場合は、時計バンドの他側端がバンド９００の一側と接着剤による接着方式または糸などによる縫製方式などによって連結される場合であり、図４５の場合は、バンド９００の支持部９１４の一面およびガイド部９２０の一面と接着剤による接着方式または糸などによる縫製方式などによって連結される場合である。
【０２４７】
図４４を参照すると、バンド９００の支持部９１４と連結された時計バンドの一部の間には前記支持部９１４の厚さだけの離隔空間Ｓ６が形成され得、前記離隔空間Ｓ６は前記バンド９００がボディー部８１０の内部空間Ｓ３に挿入される場合、ボディー部８１０の後方側壁８１４が挿入される空間であり得る。
【０２４８】
図４６は、本発明の第８実施例に係るバンド調節装置に提供されるバンドの変形例を図示した図面である。図４６を参照すると、ガイド部９２０’が一対の翼部９１２の後方側にも形成されるように支持部９１４と連結されたことが分かる。
【０２４９】
これによって、バンド９００’を第１方向Ｄ１または第２方向Ｄ２に移動させる場合、ボディー部８１０の後方側壁８１４は一対の翼部９１２と前記後方側壁８１４の間に挿入され得る。
【０２５０】
ここで、前記バンド９００’と前記バンド９００’が使用される被着物との連結は、ストッパー部９５０’による連結によって具現され得、その結果、後方側壁８１４は被着物との接触が完全に遮断されるため、後方側壁８１４による被着物の破損が防止され得る。
【０２５１】
前記では本発明に係る実施例を基準として本発明の構成と特徴を説明したが、本発明はこれに限定されず、本発明の思想と範囲内で多様な変更または変形ができることは本発明が属する技術分野の当業者に明白なものであり、したがって、このような変更または変形は添付された特許請求の範囲に属するものであることを明らかにしておく。
【０２５２】
例えば、前記で説明したバンドが適用され得る制御装置は、前記で説明した制御装置に限定されるものではなく、ボディー部が後方側壁を具備し、後方側壁の間にバンドの支持部がスライディングされ得る制御装置であれば、いずれも適用可能であり得る。
【図１】
2019509877.tif 000003
【図２】
2019509877.tif 000004
【図３】
2019509877.tif 000005
【図４】
2019509877.tif 000006
【図５】
2019509877.tif 000007
【図６】
2019509877.tif 000008
【図７（ａ）】
2019509877.tif 000009
【図７（ｂ）】
2019509877.tif 000010
【図７（ｃ）】
2019509877.tif 000011
【図８（ａ）】
2019509877.tif 000012
【図８（ｂ）】
2019509877.tif 000013
【図９】
2019509877.tif 000014
【図１０】
2019509877.tif 000015
【図１１】
2019509877.tif 000016
【図１２】
2019509877.tif 000017
【図１３】
2019509877.tif 000018
【図１４】
2019509877.tif 000019
【図１５】
2019509877.tif 000020
【図１６】
2019509877.tif 000021
【図１７】
2019509877.tif 000022
【図１８】
2019509877.tif 000023
【図１９】
2019509877.tif 000024
【図２０】
2019509877.tif 000025
【図２１】
2019509877.tif 000026
【図２２】
2019509877.tif 000027
【図２３】
2019509877.tif 000028
【図２４】
2019509877.tif 000029
【図２５】
2019509877.tif 000030
【図２６】
2019509877.tif 000031
【図２７】
2019509877.tif 000032
【図２８】
2019509877.tif 000033
【図２９】
2019509877.tif 000034
【図３０】
2019509877.tif 000035
【図３１】
2019509877.tif 000036
【図３２】
2019509877.tif 000037
【図３３】
2019509877.tif 000038
【図３４】
2019509877.tif 000039
【図３５】
2019509877.tif 000040
【図３６】
2019509877.tif 000041
【図３７】
2019509877.tif 000042
【図３８】
2019509877.tif 000043
【図３９】
2019509877.tif 000044
【図４０】
2019509877.tif 000045
【図４１】
2019509877.tif 000046
【図４２】
2019509877.tif 000047
【図４３】
2019509877.tif 000048
【図４４】
2019509877.tif 000049
【図４５】
2019509877.tif 000050
【図４６】
2019509877.tif 000051
【国際調査報告】
2019509877.tif 000052
2019509877.tif 000053
2019509877.tif 000054
2019509877.tif 000055